(57)【要約】【課題】  襟付きシャツの折り畳み状態において、襟前部の近傍の前身頃や打ち合わせ部分に折れ曲がりが生じたり、撓みや緩みが生じたりすることを防止して、その形態を保持することができるシャツ襟前保形具を提供すること。【解決手段】  襟付きシャツの左右の襟の折り返し片１１ａ，１１ｂと前身頃１２との間にそれぞれ挿入されて前身頃１２を押さえるための第一押さえ部１と第ニ押さえ部２と、シャツの打ち合わせ部１３を押さえるための第三押さえ部３とで、略Ｙ字型に形成された薄板状の保形具であって、前記第三押さえ部３にシャツの打ち合わせ部１３に取り付けられているボタン１４を係止するための係止部４が形成されている構成としたこと。【選択図】        図３
2007084132.tif 000002
【特許請求の範囲】
【請求項１】
襟付きシャツの左右の襟の折り返し片(11a),(11b)と前身頃(12)との間にそれぞれ挿入されて前身頃(12)を押さえるための第一押さえ部(1)と第ニ押さえ部(2)と、シャツの打ち合わせ部(13)を押さえるための第三押さえ部(3)とで、略Ｙ字型に形成された薄板状の保形具であって、前記第三押さえ部(3)にシャツの打ち合わせ部(13)に取り付けられているボタン(14)を係止するための係止部(4)が形成されているシャツ襟前保形具。
【請求項２】
前記第一押さえ部(1)と第ニ押さえ部(2)の分岐部分の対向縁部から第三押さえ部(3)側に向かって、かつ、第一押さえ部(1)あるいは第二押さえ部(2)の幅を狭める方向に、襟付きシャツの前側の打ち合わせ部(13a)を挟み込む切り込み溝(5)が形成されている請求項１に記載のシャツ襟前保形具。
【請求項３】
前記係止部(4)は、第一押さえ部(1)と第ニ押さえ部(2)の分岐部分の対向縁部から第三押さえ部(3)の長さ方向に向かって延びる第一切り欠き溝(41)と、第三押さえ部(3)の分岐部分とは逆の縁部から第三押さえ部(3)の長さ方向に向かって延びる第ニ切り欠き溝(42)を備えたものである請求項１または２に記載のシャツ襟前保形具。
【発明の詳細な説明】
【技術分野】
【０００１】
本発明は、ワイシャツ及びカッターシャツ等の襟付きシャツを折り畳んだ状態において、襟前近傍個所に撓みや緩みを発生させないためのシャツ襟前保形具に関するものである。
【背景技術】
【０００２】
ワイシャツやカッターシャツ等の襟付きシャツは、折り畳まれた状態で箱詰めにされて搬送され、折り畳まれた状態で幾重にも積み重ねられて陳列・販売されている。この襟付きシャツは、通常の包装・陳列・販売時に見られるような折り畳み状態では、その折り畳み上面において襟の部分が突出して立体的になっており、そのため、搬送時の振動によって襟付きシャツ同士が接触・衝突したり、陳列・販売時において上部に積み重ねられた他の襟付きシャツの加重がかかったりすることによって、襟周りが型崩れを起こしてしまうという問題があった。そこで、折り畳まれた襟付きシャツの襟周りの形態を保持するために、従来から様々な保形具が開発されるに至っている。
【０００３】
例えば、実登２５７９５６５号公報には、台襟の内側に環状に装着され、浮き上がり防止のための舌片を前身頃と後身頃の間に介入させて、周方向の位置ズレ防止のための鈎片を襟前部の重なり合った台襟の間へ挿入し、そこにある襟部の第一ボタンの縫付け糸に引っ掛けて使用する襟保形具が開示されている。また、実公平０６−０３０７１８号公報には、前身頃の最上部に連なった襟立上り部どうしを、そこの第一ボタンを利用して緊締状態に保持し得る保形具が開示されている。
【特許文献１】実登２５７９５６５号公報
【特許文献２】実公平０６−０３０７１８号公報
【発明の開示】
【発明が解決しようとする課題】
【０００４】
前記の特許文献に記載の技術は何れも、折り畳まれた状態にある襟付きシャツの襟周りの形態に限って保持することができる保形具ではある。しかしながら、襟周り以外にも折り畳み状態において形態が乱れやすい箇所があり、例えば、襟前部の近傍の前身頃打ち合わせ部分は、ボタン留めされているものの、前側の打ち合わせ部分の端縁部がめくれ上がって折れ曲がりが生じ易いという問題があり、前記の保形具は、このような襟前部の近傍の打ち合わせ部分に対しては、何ら形態保持作用を及ぼすものではなく、この点の改善が望まれていた。
【０００５】
また、前記の特許文献に記載の技術は何れも、折り畳まれた状態にある襟付きシャツの襟部の第一ボタンを留めた状態で、その留めてある第一ボタンを利用して装着して、襟周りの形態を保持することができる保形具であるが、最近は、襟付きシャツの襟前部の第一ボタンを外した状態で、外された第一ボタンとボタン穴を利用して襟周りに装着される保形具や、襟部の第一ボタンが取り付けられていない襟付きシャツの襟周りに装着される保形具も開発されるに至っている。このような保形具を襟付きシャツに使用すると、当然襟周りは保形具によって形態が保持されるものの、襟前部の第一ボタンを外している、あるいは、襟前部の第一ボタンが取り付けられていないために、襟前部が開放されていて、襟前部の前後の打ち合わせ部分の形態が乱れやすい不安定な状態にあるので、襟前部の近傍の前身頃や打ち合わせ部分に撓みや緩みが生じ易くなるという問題があった。
【０００６】
そこで、本発明は、襟付きシャツの折り畳み状態において、襟前部の近傍の前身頃や打ち合わせ部分に折れ曲がりが生じたり、撓みや緩みが生じたりすることを防止して、その形態を保持することができるシャツ襟前保形具を提供するものである。
【課題を解決するための手段】
【０００７】
この課題を解決するために講じた本発明の構成を、実施例を示す図面に使用した符号を用いて説明すると、本発明は、襟付きシャツの左右の襟の折り返し片１１ａ，１１ｂと前身頃１２との間にそれぞれ挿入されて前身頃１２を押さえるための第一押さえ部１と第ニ押さえ部２と、シャツの打ち合わせ部１３を押さえるための第三押さえ部３とで、略Ｙ字型に形成された薄板状の保形具であって、前記第三押さえ部３にシャツの打ち合わせ部１３に取り付けられているボタン１４を係止するための係止部４が形成されている構成としたものである。
【発明の効果】
【０００８】
本発明のシャツ襟前保形具によれば、第一押さえ部と第ニ押さえ部と第三押さえ部とで略Ｙ字型に形成され、第一押さえ部と第ニ押さえ部が左右の襟の折り返し片と前身頃との間にそれぞれ挿入されて前身頃を押さえ、第三押さえ部がシャツの打ち合わせ部を押さえる構成であるから、形態が乱れやすい襟前近傍の左右の前身頃と打ち合わせ部をすべて同時に押さえて、それぞれの箇所に折れ曲がり、撓み、緩みが生じることを防止することができる。これにより、襟付きシャツの折り畳み上面の形態を綺麗に保持することができ、襟付きシャツの商品価値や信頼性を維持しながら、消費者の購買意欲を高めることができるという効果をも有する。
【０００９】
また、第三押さえ部にシャツの打ち合わせ部に取り付けられているボタンを係止するための係止部が形成されている構成であるから、シャツ襟前保形具が襟付きシャツから外れることなく確実に固定することができる。
【発明を実施するための最良の形態】
【００１０】
本発明を実施するにあたって、第一押さえ部１と第ニ押さえ部２の分岐部分の対向縁部から第三押さえ部３側に向かって、かつ、第一押さえ部１あるいは第二押さえ部２の幅を狭める方向に、襟付きシャツの前側の打ち合わせ部１３ａを挟み込む切り込み溝５が形成されている構成で実施すると、切り込み溝５の上方に挿入片６が形成されることとなり、切り込み溝５に襟付きシャツの前側の打ち合わせ部１３ａを挟み込んだ状態でシャツ襟前保形具を装着したときに、切り込み溝５の下方に形成された第三押さえ部３が、前側の打ち合わせ部１３ａを押さえるとともに、切り込み溝５の上方に形成された挿入片６が、前後の打ち合わせ部１３ａ，１３ｂの間に挿入されて、後ろ側の打ち合わせ部１３ｂを押さえているので、前側の打ち合わせ部１３ａだけでなく後ろ側の打ち合わせ部１３ｂもしっかりと押さえて、より確実に襟前近傍の打ち合わせ部１３の形態を保持することができる。
【００１１】
この切り込み溝５の方向や幅や長さは任意であり、限定されるものではないが、左右方向の長さは、シャツ襟前保形具を装着したときに、前側の打ち合わせ部１３ａの端縁が切り込み溝５の底部に略当接する長さで形成すると、前側の打ち合わせ部１３ａの挟み込み状態が最も安定した状態になる。
【００１２】
このように、シャツ襟前保形具に切り込み溝５を形成して上方に挿入片６が形成された構成は、特に、襟付きシャツの折り畳み状態において、襟前最上部の第一ボタン１４ａが外されている、あるいは、襟前最上部に第一ボタン１４ａが形成されていないために、襟前部が開放されていて、襟前近傍の形態が乱れやすい不安定な状態にある場合に適用するのが最適であり、襟前近傍箇所の中でも特に、襟前部が開放されているために形態が乱れやすくなっている後ろ側の打ち合わせ部１３ｂを挿入片６でしっかりと押さえて、その形態を確実に保持することができる点において優れている。
【００１３】
第三押さえ部３に形成される係止部４の数は１箇所でも、複数箇所でもよく、その形状も溝型、鉤型、打ち抜き穴等、任意であり、限定されるものではないが、一例として、係止部４は、第一押さえ部１と第ニ押さえ部２の分岐部分の対向縁部から第三押さえ部３の長さ方向に向かって延びる第一切り欠き溝４１と、第三押さえ部３の分岐部分とは逆の縁部から第三押さえ部３の長さ方向に向かって延びる第ニ切り欠き溝４２を備えた構成で実施すると、第一切り欠き溝４１を上方のボタン１４の下側から係止して、次いで、第三押さえ部３を弾性的に湾曲させながら第ニ切り欠き溝４２を下方のボタン１４の上側から係止するという簡単な操作でシャツ襟前保形具を装着することができ、逆に、シャツ襟前保形具が襟付きシャツに装着された状態から、第三押さえ部３を弾性的に湾曲させながら、第ニ切り欠き溝４２を下方のボタン１４の上側に移動させて、第ニ切り欠き溝４２と下方のボタン１４の係り止めを解除し、次いで、第一切り欠き溝４１を上方のボタン１４の下側に移動させて、第一切り欠き溝４１と上方のボタン１４の係り止めを解除するという簡単な操作でシャツ襟前保形具を取り外すこともできる。
【００１４】
また、切り込み溝５と第一切り欠き溝４１は、分岐する形状で形成されている構成、即ち、切り込み溝５と第一切り欠き溝４１は、第一押さえ部１と第ニ押さえ部２の分岐部分の対向縁部における始点を同じくして、溝の一部を共有して、途中で分岐する構成として実施すると、溝の形成面積を必要最小限にして、シャツ襟前保形具の強度を保持しつつ、襟付きシャツに対する押さえの力を高めることができる。
【実施例】
【００１５】
以下、本発明の実施例を図示例と共に説明する。図１及び図２は本願発明の第一実施例のシャツ襟前保形具（以下単に保形具という）であって、図１は平面図、図２は使用状態を示す図である。
【００１６】
図１に示すように、第一実施例の保形具は、ポリスチロール製の弾性プラスチックシートを略Ｙ字型に切り抜いて形成してあり、図示した状態において、左右斜め上方向に外開き状に形成された部分がそれぞれ第一押さえ部１と第ニ押さえ部２であり、第一押さえ部１と第ニ押さえ部２が交わる部分から下方に向かって延びる部分が第三押さえ部３である。第一押さえ部１と第ニ押さえ部２は、折り畳み状態にある襟付きシャツの襟の左右それぞれの折り返し片１１ａ，１１ｂと前身頃１２の間に挿入されて、前身頃１２を押さえる。第三押さえ部３は、折り畳み状態にある襟付きシャツの襟前近傍の打ち合わせ部１３を押さえる。
【００１７】
第三押さえ部３には、襟付きシャツの打ち合わせ部１３のボタン１４のボタン糸に引っ掛けて係止するための係止部４が２箇所形成されていて、第一切り欠き溝４１と第ニ切り欠き溝４２がこれに相当する。第一切り欠き溝４１は、第一押さえ部１と第ニ押さえ部２の分岐部分の対向縁部の略中央から、第三押さえ部３の長さ方向（図でいうところの下方）に向かって上部が開口した形状で形成されていて、第ニ切り欠き溝４２は、第三押さえ部３の分岐部分とは反対側（図でいうところの下方）の縁部から、第三押さえ部３の長さ方向（図でいうところの上方）に向かって下部が開口した形状で形成されている。
【００１８】
本実施例で図示してある襟付きシャツは、打ち合わせ部１３の襟前最上部に第一ボタン１４ａが取り付けられており、以下、打ち合わせ部１３の下方に向かって、第ニボタン１４ｂ、第三ボタン１４ｃ、…と取り付けられており、第一ボタン１４ａと第ニボタン１４ｂの間隔がやや狭く、第ニボタン１４ｂ以下は、一定の間隔で取り付けられている一般によくある襟付きシャツである。本実施例の保形具の第一切り欠き溝４１は、この襟付きシャツの第ニボタン１４ｂに係止させ、第ニ切り欠き溝４２は、第三ボタン１４ｃに係止させて使用するものであるため、第一切り欠き溝４１と第ニ切り欠き溝４２の間隔は、第ニボタン１４ｂと第三ボタン１４ｃの間隔と略等しく形成されている。また、第一切り欠き溝４１と第ニ切り欠き溝４２の横幅は、ボタン１４の径よりも当然小さく、ボタン糸が進入できる幅に形成されている。
【００１９】
第一押さえ部１と第ニ押さえ部２の分岐部分の対向縁部から第三押さえ部３側に向かって、かつ、第一押さえ部１の幅を狭める方向に、即ち、図１に示された状態において、左斜め下方に向かって、襟付きシャツの前側の打ち合わせ部１３ａを挟み込んで保持するための切り込み溝５が形成されている。この切り込み溝５は、前記第一切り欠き溝４１と分岐しており、分岐点における第一切り欠き溝４１とのなす角度はおよそ３０度としてある。
【００２０】
この切り込み溝５の横方向の長さは、図２に示すように、保形具を襟付きシャツに装着したときに、襟付きシャツの前側の打ち合わせ部１３ａの端縁が切り込み溝５の底部に略当接するような長さになるように設定してある。もちろん、切り込み溝５の横方向の長さは、これよりも長くても構わないが、どのような角度及び形状で形成するにせよ、これより短いと、前側の打ち合わせ部１３ａが撓んで、まっすぐに伸ばされた状態で切り込み溝５に挟み込めないので不可である。なお、切り込み溝５を形成したことに伴い、切り込み溝５の延長線上の部分が外側に拡張して形成されていて、全体として略Ｙ字型の形状においてこの箇所は左右非対称の形状になっている。
【００２１】
保形具にこのような切り込み溝５を入れたことにより、図１に示すように、この切り込み溝５の上方（の第一押さえ部１の一部）に挿入片６が形成され、この挿入片６は、図２に示すように、保形具を襟付きシャツに装着したときに、前後の打ち合わせ部１３ａ，１３ｂの間に挿入されて、後ろ側の打ち合わせ部１３ｂを押さえることができる。なお、この後ろ側の打ち合わせ部１３ｂを押さえる挿入片６の面積を大きくするために、左右反対側の第ニ押さえ部２の形状と比較して、挿入片６はやや中上部に拡張して面積が大きくなるように形成されていて、全体として略Ｙ字型の形状においてこの箇所も左右非対称の形状になっている。
【００２２】
使用にあたっては、図２に示すように、折り畳んで、予め襟台の内側に環状に襟周り保形具Ｃを装着してある襟付きシャツに対して、第一押さえ部１を向かって左側の襟の折り返し片１１ａと前身頃１２との間に挿入し、第ニ押さえ部２を向かって右側の襟の折り返し片１１ｂと前身頃１２との間に挿入して、第一ボタン１４ａと第二ボタン１４ｂの間であって、かつ、前後の打ち合わせ部１３ａ，１３ｂの間に、挿入片６を挿入しながら、切り込み溝５に前側の打ち合わせ部１３ａを挟み込ませて、第一切り欠き溝４１を第ニボタン１４ｂの下側から係止させ、次いで、第三押さえ部３を弾性的に曲げながら、第ニ切り欠き溝４２を第三ボタン１４ｃの上側から係止させて、第三押さえ部３を打ち合わせ部１３に当接させることによって装着する。あるいは、第一ボタン１４ａと第二ボタン１４ｂの間であって、かつ、前後の打ち合わせ部１３ａ，１３ｂの間に、挿入片６を挿入しながら、切り込み溝５に前側の打ち合わせ部１３ａを挟み込ませる工程を最後に行ってもよい。
【００２３】
この装着状態において、保形具は、上方の第ニボタン１４ｂに対しては第一切り欠き溝４１が下側から係止し、下方の第三ボタン１４ｃに対しては第ニ切り欠き溝４２が上側から係止しているので、保形具の第三押さえ部３に対して弾性的に折れ曲がる力が働かない限り、これらの係り止めが解除されることはなく、ゆえに、保形具がシャツから外れることなく、その装着状態が維持される。また、第一切り欠き溝４１の底部が上方の第二ボタン１４ｂのボタン糸に略当接していることにより上方への移動が阻止され、第ニ切り欠き溝４２の底部が下方の第三ボタン１４ｃのボタン糸に略当接していることにより下方への移動が阻止され、また、第一切り欠き溝４１の両側部が上方の第二ボタン１４ｂのボタン糸に略当接し、第ニ切り欠き溝４２の両側部も下方の第三ボタン１４ｃのボタン糸に略当接していることにより左右方向への移動が阻止され、さらに、隣り合う上方と下方の２つの第二ボタン１４ｂと第三ボタン１４ｃに係止していることにより回転移動も阻止されているので、保形具があらゆる方向にずれることなく、その装着状態が維持される。
【００２４】
この保形具を襟付きシャツから取り外すときは、第三押さえ部３を弾性的に曲げながら、第ニ切り欠き溝４２を第三ボタン１４ｃの上側へ移動させて、第ニ切り欠き溝４２と第三ボタン１４ｃの係り止めを解除し、次いで、第一切り欠き溝４１を第ニボタン１４ｂの下側へ移動させて、第一切り欠き溝４１と第ニボタン１４ｂの係り止めを解除した後に、挿入片６を前後の打ち合わせ部１３ａ，１３ｂの間から抜き取りながら、切り込み溝５への前側の打ち合わせ部１３ａの挟み込み状態を解除することによって、取り外すことができる。
【００２５】
図３は、第一実施例の保形具を別の形態の襟付きシャツに装着した様子を示す図である。前記第一実施例の使用形態と異なる点は、襟付きシャツが、折り畳まれて襟前最上部の第一ボタン１４ａが外された状態にあり、かつ、襟台の内側に環状に装着される襟周り保形具Ｃの略中央部に２つの舌片が形成されていて、１つを第一ボタン１４ａに係合させ、もう１つを第一ボタン１４ａのボタン穴１５ａに挿入させて、保形具を襟台の内側に環状に装着固定してある状態にある点である。このような状態にある襟付きシャツは、襟前最上部の第一ボタン１４ａが外されて、襟前が開放されているために、襟前近傍の前身頃１２や前後の打ち合わせ部１３ａ，１３ｂに撓みや緩みが生じ易く、前記の襟付きシャツの形態と比較して、特に、第一ボタン１４ａと第二ボタン１４ｂの間の後ろ側の打ち合わせ部１３ｂの形態が乱れ易くなっている。本発明の前記第一実施例の保形具は、このような襟付きシャツの襟前近傍の形態を保持するのに最適であり、これを装着することによって、第一ボタン１４ａと第二ボタン１４ｂの間の後ろ側の打ち合わせ部１３ｂが挿入片６によって押さえられるので、襟前部が開放された状態にあっても、後ろ側の打ち合わせ部１３ｂの形態をしっかりと保持することができる。
【００２６】
なお、実施例として図示していないが、本発明の前記第一実施例の保形具は、襟前最上部にボタン１４が取り付けられておらず、襟前が常時開放されている襟付きシャツの折り畳み状態における襟前近傍の形態を保持する場合にも、同様の理由から適している。この襟付きシャツの場合、襟前最上部にボタン１４がないので、その下方のボタン１４が第一ボタン１４ａとなり、以下第二ボタン１４ｂ、第三ボタン１４ｃ…と続くので、前記の保形具の第一切り欠き溝４１は、第一ボタン１４ａに係止させ、第ニ切り欠き溝４２は、第ニボタン１４ｂに係止させ、挿入片６は第一ボタン１４ａの上方の前後の打ち合わせ部１３ａ，１３ｂの間に挿入されることとなる。
【００２７】
図４は本願発明の第ニ実施例の保形具を示す図であって、第一実施例と異なる点は、襟付きシャツの前側の打ち合わせ部１３ａを挟み込む切り込み溝５が、第一押さえ部１と第ニ押さえ部２の分岐部分の対向縁部から、第三押さえ部３側に向かった後、第一押さえ部１の幅を狭める方向に、即ち、図示した状態で、左横方向に向かって形成されている点である。この切り込み溝５も、第一切り欠き溝４１と分岐して繋がるように入れられており、分岐点における第一切り欠き溝４１とのなす角度はおよそ９０度である。なお、切り込み溝５の横方向の長さは、第一実施例と同様に定められている。また、第一実施例と同様に、切り込み溝５を形成したことに伴い、切り込み溝５の延長線上の部分が外側に拡張して形成されている。
【００２８】
図５は本願発明の第三実施例の保形具を示す図であって、第ニ実施例と異なる点は、２箇所の係合部４を、第一切り欠き溝４１と第ニ切り欠き溝４２に代えて、閉じた打ち抜き状であって、逆凸形状の第一打ち抜き穴４３、凸形状の第ニ打ち抜き穴４４としたものである。上方の第一打ち抜き穴４３は、襟付きシャツの第ニボタン１４ｂに係止させ、下方の第ニ打ち抜き穴４４は、第三ボタン１４ｃに係止させて使用するものであり、上方の第一打ち抜き穴４３と下方の第ニ打ち抜き穴４４の間隔は、当然第ニボタン１４ｂと第三ボタン１４ｃの間隔と略等しく形成されている。また、第一打ち抜き穴４３，第ニ打ち抜き穴４４の横幅は、ボタン１４の径よりも大きく形成して、ボタンが挿通可能にしてある。
【００２９】
使用にあたっては、折り畳んだ状態の襟付きシャツに対して、第一押さえ部１を向かって左側の襟の折り返し片１１ａと前身頃１２との間に挿入し、第ニ押さえ部２を向かって右側の襟の折り返し片１１ｂと前身頃１２との間に挿入したのち、挿入片６を前後の打ち合わせ部１３ａ，１３ｂの間に挿入しながら、切り込み溝５に前側の打ち合わせ部１３ａを挟み込ませて、第一打ち抜き穴４３に第二ボタン１４ｂを挿通して、凸形状の突部分のスペースを利用して、ボタン糸をスペースに逃しながら、第二ボタン１４ｂを挿通しきって留め付ける。第ニ打ち抜き穴４４に対しても第三ボタン１４ｃを同様に留め付けて、第三押さえ部３を打ち合わせ部１３に当接させることによって装着する。
【００３０】
以上本発明の代表例と思われる実施例について説明したが、本発明は、上述の実施例にのみ限定されるものではなく、その他本発明にいう前記の構成要件を備え、かつ本発明にいう目的を達成し、本発明にいう効果を有する範囲内において適宜改変して実施することができるものである。
【産業上の利用可能性】
【００３１】
本発明のシャツ襟前保形具は、襟前部近傍の保形具として、単独で使用することもでき、また、襟周りの保形具と組み合わせて使用することもでき、特に、襟前最上部の第一ボタンが外されている、あるいは、襟前最上部に第一ボタンが形成されていない襟付きシャツの折り畳み状態における襟前近傍の形態を保持するのに適している。
【図面の簡単な説明】
【００３２】
【図１】第一実施例のシャツ襟前保形具の平面図。
【図２】同使用状態を示す図。
【図３】第一実施例のシャツ襟前保形具を別の形態のシャツに適用した図。
【図４】第ニ実施例のシャツ襟前保形具の平面図。
【図５】第三実施例のシャツ襟前保形具の平面図。
【符号の説明】
【００３３】
１  第一押さえ部
２  第二押さえ部
３  第三押さえ部
４  係合部
５  切り込み溝
６  挿入片
１１ａ，１１ｂ  襟の折り返し片
１２  前身頃
１３  打ち合わせ部
１３ａ  （前側の）打ち合わせ部
１３ｂ  （後ろ側の）打ち合わせ部
１４  ボタン
１４ａ  第一ボタン
１４ｂ  第二ボタン
１４ｃ  第三ボタン
４１  第１切り欠き溝
４２  第２切り欠き溝
４３  第１打ち抜き穴
４４  第２打ち抜き穴
【図１】
2007084132.tif 000003
【図２】
2007084132.tif 000004
【図３】
2007084132.tif 000005
【図４】
2007084132.tif 000006
【図５】
2007084132.tif 000007